【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
関心領域までの距離を決定するためのシステムであって：
第1視野を有する第1カメラと；
該第1視野の少なくとも一部と重なる第2視野を有する第2カメラと；
該第2視野と重なる該第1視野の該少なくとも一部の関心領域を選択するための制御デバイスと；
該第1視野における該選択された関心領域の位置を該第2視野における該選択された関心領域の位置と比較することによって、あるロケーションに対する該選択された関心領域の距離を決定するプロセッサと；
を含み、
該第1視野が、水平次元及び垂直次元を含み、該第2視野が、水平次元及び垂直次元を含み；かつ
該プロセッサが、該第1視野の水平次元における該選択された関心領域の位置を該第2視野の水平次元における該選択された関心領域の位置と比較することによって、該ロケーションに対する該選択された関心領域の距離を決定する、
前記システム。
【請求項２】
前記第1カメラと前記第2カメラとを保持する筺体をさらに含む、請求項1に記載のシステム。
【請求項３】
前記第1及び第2カメラが、互いにある距離をおいて離間されている、請求項1に記載のシステム。
【請求項４】
前記プロセッサが、前記第1カメラと前記第2カメラとの間の距離に基づいて、前記選択された関心領域の距離を決定するように構成されている、請求項3に記載のシステム。
【請求項５】
前記筺体が、前記第2視野が前記第1視野の前記少なくとも一部と重なるように、前記第1カメラと前記第2カメラとをある配向に保持する、請求項2に記載のシステム。
【請求項６】
前記プロセッサによって決定された距離の指標を提供するデバイスをさらに含む、請求項1に記載のシステム。
【請求項７】
前記デバイスが、前記プロセッサによって決定された距離を第3カメラによって生成された画像上に重ねるように構成されたオーバーレイデバイスを含む、請求項6に記載のシステム。
【請求項８】
前記画像が、ビデオ画像を含む、請求項7に記載のシステム。
【請求項９】
前記プロセッサが、前記第1視野における前記選択された関心領域の外観を前記第2視野における前記選択された関心領域の外観に相関させるアルゴリズムを用いることによって、前記第2視野における前記選択された関心領域の位置を識別するようにさらに構成されている、請求項1に記載のシステム。
【請求項１０】
前記プロセッサが、前記選択された関心領域が前記第1視野において移動する間、前記第1視野における該選択された関心領域の位置を追跡するようにさらに構成されている、請求項1に記載のシステム。
【請求項１１】
前記プロセッサが、前記第1視野における前記選択された関心領域の外観を前記第2視野における前記選択された関心領域の外観に相関させるアルゴリズムを用いることによって、前記第2視野における前記選択された関心領域の位置を追跡するようにさらに構成されている、請求項10に記載のシステム。
【請求項１２】
前記プロセッサが、前記選択された関心領域が前記第1視野において移動する間、前記ロケーションに対する前記選択された関心領域の距離をリアルタイムで決定するように構成されている、請求項11に記載のシステム。
【請求項１３】
前記選択された関心領域が前記第1視野において移動する間、前記決定された距離を前記第3カメラによって生成された画像上にリアルタイムで重ねるように構成されたオーバーレイデバイスをさらに含む、請求項12に記載のシステム。
【請求項１４】
前記制御デバイスが、前記第2視野と重なる前記第1視野の前記少なくとも一部における複数の関心領域をユーザが選択できるように構成されており；かつ
前記プロセッサが、前記第1視野における前記複数の選択された関心領域の各々の位置を前記第2視野における前記複数の選択された関心領域の対応するものの位置と比較することによって、あるロケーションに対する前記複数の選択された関心領域の各々の距離を決定するように構成されている、請求項1に記載のシステム。
【請求項１５】
前記複数の選択された関心領域の各々について、前記決定された距離の指標を提供するデバイスをさらに含む、請求項14に記載のシステム。
【請求項１６】
前記制御デバイスが、前記第1カメラによって生成された前記第1視野の画像を表示するように構成されたタッチスクリーンを含み、前記画像における前記関心領域を表示する前記タッチスクリーンの一部に触れることによって、前記関心領域を前記ユーザが選択できるように構成されている、請求項1に記載のシステム。
【請求項１７】
関心領域までの距離を決定するためのシステムであって：
互いに離れた距離に位置した第1カメラと第2カメラとを含む筺体であって、該第1カメラが第1視野を有し、該第2カメラが第2視野を有し、該第1及び第2視野の重なり部分が存在する、前記筺体と；
該重なり部分において関心領域を選択するためのデバイスと；
該第1視野における該選択された関心領域の位置を該第2視野における該選択された関心領域の位置と比較することによって、あるロケーションに対する該選択された関心領域の距離を決定するためのプロセッサと；
を含み、
該第1視野が、水平次元及び垂直次元を含み、該第2視野が、水平次元及び垂直次元を含み；かつ
該プロセッサが、該第1視野の水平次元における該選択された関心領域の位置を該第2視野の水平次元における該選択された関心領域の位置と比較することによって、該ロケーションに対する該選択された関心領域の距離を決定するようにさらに構成されている、
前記システム。
【請求項１８】
前記決定された距離の指標を提供するためのデバイスをさらに含む、請求項17に記載のシステム。
【請求項１９】
関心領域を選択するための前記デバイスが、前記第1カメラによって生成された前記第1視野の視認可能な画像を提供し、前記ユーザが該関心領域を該視認可能な画像から選択できるように構成されている、請求項17に記載のシステム。
【請求項２０】
関心領域までの距離を決定するための方法であって：
第1カメラから第1視野、及び該第1カメラからある距離に位置した第2カメラから第2視野を投影する工程であって、該第1及び第2視野の重なり部分が存在する、前記工程と；
該重なり部分において関心領域を選択する工程と；
該選択された関心領域が該第1視野において移動する間、該第1視野における該選択された関心領域の位置を追跡する工程と；
該第1視野における該選択された関心領域の外観を該第2視野における該選択された関心領域の外観に相関させるアルゴリズムを用いることによって、該第2視野における該選択された関心領域の位置を追跡する工程と；。
該第1視野における該選択された関心領域の位置を該第2視野における該選択された関心領域の位置と比較することによって、あるロケーションに対する該選択された関心領域の距離を決定する工程と：
を含み、
該選択された関心領域が該第1視野において移動する間、該ロケーションに対する該選択された関心領域の距離をリアルタイムで決定する工程をさらに含む、
前記方法。
【請求項２１】
前記決定された距離の指標を提供する工程をさらに含む、請求項20に記載の方法。
【請求項２２】
関心領域までの距離を決定するためのシステムであって：
第1視野を有するように構成された第1カメラと；
該第1視野の少なくとも一部と重なる第2視野を有するように構成された第2カメラと；
該第2視野と重なる該第1視野の該少なくとも一部の関心領域をユーザが選択できるように構成された制御デバイスと；
該第1視野における該選択された関心領域の位置を該第2視野における該選択された関心領域の位置と比較することによって、あるロケーションに対する該選択された関心領域の距離を決定するように構成されたプロセッサと；
を含み、
該制御デバイスが、該第2視野と重なる該第1視野の該少なくとも一部における複数の関心領域をユーザが選択できるように構成されており；
該プロセッサが、該第1視野における該複数の選択された関心領域の各々の位置を該第2視野における該複数の選択された関心領域の対応するものの位置と比較することによって、あるロケーションに対する該複数の選択された関心領域の各々の距離を決定するように構成されている、
前記システム。
【請求項２３】
前記決定された距離の指標を提供するデバイスを含む、請求項22に記載のシステム。
【請求項２４】
前記デバイスが、前記複数の選択された関心領域の各々について、前記決定された距離の指標を提供する、請求項23に記載のシステム。
【請求項２５】
関心領域までの距離を決定するためのシステムであって：
第1視野を有するように構成された第1カメラと；
該第1視野の少なくとも一部と重なる第2視野を有するように構成された第2カメラと；
該第2視野と重なる該第1視野の該少なくとも一部の関心領域をユーザが選択できるように構成された制御デバイスと；
該第1視野における該選択された関心領域の位置を該第2視野における該選択された関心領域の位置と比較することによって、あるロケーションに対する該選択された関心領域の距離を決定するように構成されたプロセッサと；
を含み、
該プロセッサが、該選択された関心領域が該第1視野において移動する間、該第1視野における該選択された関心領域の位置を追跡するようにさらに構成されており、該プロセッサが、該第1視野における該選択された関心領域の外観を該第2視野における該選択された関心領域の外観に相関させるアルゴリズムを用いることによって、該第2視野における該選択された関心領域の位置を追跡するようにさらに構成されており、かつ該プロセッサが、該選択された関心領域が該第1視野において移動する間、該ロケーションに対する該選択された関心領域の距離をリアルタイムで決定するように構成されている、
前記システム。
【請求項２６】
前記決定された距離の指標を提供するデバイスをさらに含む、請求項25に記載のシステム。
【請求項２７】
関心領域までの距離を決定するための方法であって：
第1カメラから第1視野、及び該第1カメラからある距離に位置した第2カメラから第2視野を投影する工程であって、該第1及び第2視野の重なり部分が存在し、該第1視野が水平次元及び垂直次元を含み、かつ該第2視野が水平次元及び垂直次元を含む、前記工程と；
該重なり部分において関心領域を選択する工程と；
該第1視野の水平次元における該選択された関心領域の位置を該第2視野の水平次元における該選択された関心領域の位置と比較することによって、あるロケーションに対する該選択された関心領域の距離を決定する工程と；
を含む、前記方法。
【請求項２８】
前記決定された距離の指標を提供する工程をさらに含む、請求項27に記載の方法。